(57)【要約】      （修正有）【課題】衛星テレビジョン放送と地上波テレビジョン放送を混合して伝送する伝送路にＬＮＢ電源を供給する場合、インターフェース回路にチョークコイルを使用すると帯域制限され受信感度特性が劣化する。【解決手段】ＬＮＢ電源を供給するインターフェース回路に、高周波帯域でインピーダンス成分が抵抗になり共振を持たない特性を示すフェライトビーズを使用することにより、良好な帯域特性を得られ、充分な受信感度特性が確保できる。【選択図】図１
2010288244.tif 000002
【特許請求の範囲】
【請求項１】
パラボラアンテナで受信した衛星テレビジョン放送を所定の周波数に変換するＬＮＢ（Ｌｏｗ  Ｎｏｉｓｅ  Ｂｌｏｃｋ  Ｄｏｗｎ  Ｃｏｎｖｅｒｔｅｒ）回路に電源を供給するための電源を上記ＬＮＢ回路で周波数変換され出力された衛星テレビジョン放送信号に重畳し伝送するテレビジョン放送受信装置において、
上記テレビジョン放送受信装置には、上記周波数変換された衛星テレビジョン放送信号を伝送する上記伝送路に、電源を供給するインターフェース回路を有し、
上記インターフェース回路に広い帯域でインピーダンスが確保できるフェライト材を用いることを特徴とするＬＮＢ（Ｌｏｗ  Ｎｏｉｓｅ  Ｂｌｏｃｋ  Ｄｏｗｎ  Ｃｏｎｖｅｒｔｅｒ）インターフェース回路。
【請求項２】
請求項１において、
上記伝送路に約９０ＭＨｚから８００ＭＨｚまでの帯域に存在する地上波テレビジョン放送を混合して伝送する伝送路に電源を供給するインターフェース回路を有することを特徴とするＬＮＢ（Ｌｏｗ  Ｎｏｉｓｅ  Ｂｌｏｃｋ  Ｄｏｗｎ  Ｃｏｎｖｅｒｔｅｒ）インターフェース回路。
【請求項３】
請求項１、および２において、
上記テレビジョン放送受信装置には、上記インターフェース回路にフェライトビーズを用いることを特徴とするＬＮＢ（Ｌｏｗ  Ｎｏｉｓｅ  Ｂｌｏｃｋ  Ｄｏｗｎ  Ｃｏｎｖｅｒｔｅｒ）インターフェース回路。
【発明の詳細な説明】
【技術分野】
【０００１】  本発明は、ＬＮＢ回路に電源を供給する受信テレビジョン放送受信装置に関する。
【背景技術】
【０００２】  無線テレビジョン放送の種類は、地上波テレビジョン放送と衛星テレビジョン放送がある。
約９０ＭＨｚから８００ＭＨｚの帯域を使用する地上波テレビジョン放送は、八木アンテナなどを使用して受信し、そのまま受信装置に入力される。
衛星テレビジョン放送は、衛星から１２ＧＨｚの帯域で送信され、受信したパラボラアンテナのＬＮＢ回路で、約１ＧＨｚから２ＧＨｚの帯域に周波数変換され、受信装置に入力される。【０００３】  地上波テレビジョン放送とテレビジョン放送は、それぞれのアンテナで受信され各々のケーブルを通りそれぞれの受信装置に入力され復調される。【０００４】  地上波テレビジョン放送の受信は、八木アンテナなどを用いるためアンテナと受信装置を接続するだけで可能となる。
しかし、衛星テレビジョン放送を受信するには、パラボラアンテナにあるＬＮＢ回路で受信した放送波を周波数変換するＬＮＢ回路に電源を供給する必要がある。
ＬＮＢ用電源は、受信した放送波を伝送するケーブルに重畳することで供給される。
この場合、供給する電源の周波数とＬＮＢ回路から出力される信号周波数との差が広いために受信性能に影響を及ぼさなかった。【０００５】  地上波テレビジョン放送と衛星テレビジョン放送は受信するアンテナが違うので、それぞれのケーブルで各々の受信装置と接続されれば、お互い干渉されず受信特性は確保される。
しかし、家屋のインフラが整備されてなく１本のケーブルで地上波テレビジョン放送と衛星テレビジョン放送を混合して伝送しなければならない環境では、ＬＮＢ回路に電源を供給するインターフェース回路の帯域特性を広く確保する必要がある。
インターフェース回路の帯域特性は、９０ＭＨｚから２ＧＨｚの帯域が必要であり、広帯域の特性が確保できず、受信特性を満足させることが出来ない欠点があった。【０００６】
【特許文献１】特開２００１−２０４０１６
【発明の開示】
【発明が解決しようとする課題】
【０００７】  従来例を図２に示す。
パラボラアンテナ１０３にあるＬＮＢ回路１０４に電源を供給する場合、電源とＲＦ信号とにインピーダンスを持たせ交流的に分離するためチョークコイル１０１を使用していた。
ＬＮＢ電源回路１１０側には、電源を平滑するためにコンデンサー１０２がＧＮＤとの間に挿入されており、ＲＦ信号側から見た場合、チョークコイル１０１とコンデンサー１０２で高域濾波回路が構成されている。【０００８】  受信装置１０５に入力されたＲＦ信号は、ＨＰＦ（Ｈｉｇｈ  Ｐａｓｓ  Ｆｉｌｔｅｒ）１０６を通り、衛星放送復調回路１０７に、
また、ＬＰＦ（Ｌｏｗ  Ｐａｓｓ  Ｆｉｌｔｅｒ）１０８を通り地上波復調回路１０９に入力され、それぞれ復調される。【０００９】  このとき、図３に示すように図２のチョークコイル１０１を用いたインターフェース回路のインピーダンス−周波数特性は、周波数変換された衛星テレビジョン放送帯域では、通過帯域が充分に確保されている。図３において、破線よりインピーダンスが高く確保されている。
しかし、地上波テレビジョン放送帯域では、通過帯域内で劣化が見られる。図３において、インピーダンスが破線より下回っている帯域がある。【００１０】  ここで、チョークコイル１０１のインダクタンス量を大きくすれば、低域での通過帯域を確保することが可能になるが、インダクタンスを増やすとチョークコイルが持つ共振周波数が下がり、衛星テレビジョン放送帯域が確保されなくなる。【００１１】  そこで本発明は、上記従来の実情に鑑みて提案されたものであり、衛星テレビジョン放送と地上波テレビジョン放送を混合して通過帯域が広範囲な伝送路にも良好に感度特性が確保できるＬＮＢ回路に電源を供給するインターフェース回路を提供することを目的とする。
【課題を解決するための手段】
【００１２】  本考案は、図４に示すようにフェライトビーズが持つインピーダンス−周波数特性で、周波数が高くなるとインピーダンス成分が抵抗になり、共振を持たないことに着目した。
ＬＮＢ回路に電源を供給するインターフェース回路にフェライトビーズを用いることで、上記の目的を達成する。
【発明の効果】
【００１３】  図５に示すインピーダンス−周波数特性は、フェライトビーズを用いた図１のインターフェース回路の特性で、地上波テレビジョン放送帯域と衛星テレビジョン放送帯域の広帯域において高いインピーダンス特性を確保することができる。
【発明を実施するための最良の形態】
【００１４】  本考案具体例として図１に示す。
パラボラアンテナ３にあるＬＮＢ回路４に電源を供給するため、フェライトビーズ１を挿入する。
ＬＮＢ電源回路１０側には、電源を平滑するためにコンデンサー２がＧＮＤとの間に挿入さている。【００１５】  受信装置５に入力されたＲＦ信号は、ＨＰＦ（Ｈｉｇｈ  Ｐａｓｓ  Ｆｉｌｔｅｒ）６を通り衛星放送復調回路７に、
また、ＬＰＦ（Ｌｏｗ  Ｐａｓｓ  Ｆｉｌｔｅｒ）８を通り地上波復調回路９に入力され、それぞれ復調される。【００１６】  このとき、フェライトビーズ１を用いたインターフェース回路のインピーダンス−周波数特性は、チョークコイルを用いたインターフェース回路のインピーダンス−周波数特性が持つ周波数特性よりなだらかであり、通過帯域が充分に確保されている。
また、高域帯域でも共振周波数を持っていないため、良好な帯域特性が確保できる。
【図面の簡単な説明】
【００１７】
【図１】；本発明のブロック図を示す。
【図２】；従来のブロック図を示す。
【図３】；チョークコイルを用いたインターフェースのインピーダンス−周波数特性
【図４】；フェライトビーズの周波数特性
【図５】；フェライトビーズを用いたインターフェースのインピーダンス−周波数特性
【符号の説明】
【００１８】１  フェライトビーズ、１０１  チョークコイル、２，１０２  コンデンサー、
３，１０３  パラボラアンテナ、４，１０４  ＬＮＢ回路、５，１０５  受信装置、
６，１０６  ＨＰＦ（Ｈｉｇｈ  Ｐａｓｓ  Ｆｉｌｔｅｒ）、７，１０７  衛星放送復調回路、
８，１０８  ＬＰＦ（Ｌｏｗ  Ｐａｓｓ  Ｆｉｌｔｅｒ）、９，１０９  地上波放送復調回路、
【図１】
2010288244.tif 000003
【図２】
2010288244.tif 000004
【図３】
2010288244.tif 000005
【図４】
2010288244.tif 000006
【図５】
2010288244.tif 000007